(57)【要約】【課題】コンパクトな設計により設置面積の省スペース化やスイッチ全体のコストダウンを図ることができるダイヤルスイッチを提供する。【解決手段】第１実施形態のダイヤルスイッチＳＷ１は、複数の接続回路を有する固定接点パターン１４が配置されたベース１０と、ベース１０の中心に取り付けられたシャフト６０を軸にして回転可能に支持されたボタン２０と、ボタン２０の回転に連動して移動し、シャフト６０を軸にして揺動可能に支持されたレバー３０と、レバー３０の揺動運動を直線往復運動に変換してスライド動作するアクチュエータ４０と、アクチュエータ４０のスライド動作によって固定接点パターン１４の接続回路を切り替える切替スイッチ５０を備えて構成されている。【選択図】図３
2016066565.tif 000002
【特許請求の範囲】
【請求項１】
複数の接続回路を有する固定接点パターンが配置されたベースと、
前記ベースに取り付けられたシャフトを軸にして回転可能に支持されたボタンと、
前記ボタンの回転に連動して移動し、前記シャフトを軸にして揺動可能に支持されたレバーと、
前記レバーの揺動運動を直線往復運動に変換してスライド動作するアクチュエータと、
前記アクチュエータのスライド動作によって前記固定接点パターンの接続回路を切り替える切替スイッチを備えたことを特徴とするダイヤルスイッチ。
【請求項２】
前記レバーの揺動運動を直線往復運動に変換する機構は、
前記ボタンの回転角度に応じて、前記アクチュエータに設けられた突起が前記レバーの回転中心を基点にして所定角度毎に形成された複数個の孔のうちのいずれかに嵌まり、かつ、前記ベースに設けられたピンが前記アクチュエータに形成された長孔に嵌まることにより、前記アクチュエータが前記長孔に沿って移動するように規制された構造であることを特徴とする請求項１に記載のダイヤルスイッチ。
【請求項３】
前記ボタンの回転時に前記アクチュエータに押し下げられたシーソーの傾きによりリングが上昇して係合片が係合溝に嵌まることによって前記レバーの動きが規制され、かつ、前記ボタンの停止時にばね力で前記リングに押し下げられたシーソーの傾きにより前記アクチュエータが上昇して前記係合片が前記係合溝から外れることによって前記レバーの規制が解除されるロック機構が設けられていることを特徴とする請求項１または２に記載のダイヤルスイッチ。
【発明の詳細な説明】
【技術分野】
【０００１】
本発明は、例えば自動車等の車両に搭載される電動式スライドシートを操作するスイッチとして適用可能なダイヤルスイッチに関する。
【背景技術】
【０００２】
従来、自動車等の車両に搭載される電動式スライドシートには、シート側面にシートスイッチが取り付けられており、搭乗者がこのスイッチを操作することにより、シートの前後位置、高さ位置、リクライニング角度等を電動で調節できるようになっている。
【０００３】
例えば、下記の特許文献１には、本出願人が先に出願したシートスイッチが開示されている。このシートスイッチはスイッチ本体に２つのノブが設けられており、第１のノブを動かすと、シートの背もたれを倒したり元の状態に戻したりすることができる。また、第２のノブを動かすと、シートの位置を前後に移動させたり、シートの座面を上昇させたり元の状態に戻したりすることもできる。
【０００４】
このようなシートスイッチは、スイッチ本体を構成するベースに、電動式スライドシートを駆動する前後スライドモーター、上下リフトモーター、及びリクライニングモーターからなる各モーターの配線と、電源配線及びグランド配線と、これらの配線をモーター、電源及びグランドに接続するためのコネクタ端子が設けられている。このため、コネクタ端子に連結された配線ケーブルを複数個のモーターのそれぞれに対して接続しなければならず、広い設置面積が必要であり、また取付作業が面倒であるとともに、スイッチ全体の製造コストが高くなるという問題があった。
【先行技術文献】
【特許文献】
【０００５】
【特許文献１】特開２００９−０３２５１９号公報
【発明の概要】
【発明が解決しようとする課題】
【０００６】
そこで、本発明はこのような問題を解決するためになされたものであり、その目的とするところは、コンパクトな設計により設置面積の省スペース化やスイッチ全体のコストダウンを図ることができるダイヤルスイッチを提供することにある。
【課題を解決するための手段】
【０００７】
前記の目的を達成するため、本発明に係るダイヤルスイッチは、複数の接続回路を有する固定接点パターンが配置されたベースと、前記ベースに取り付けられたシャフトを軸にして回転可能に支持されたボタンと、前記ボタンの回転に連動して移動し、前記シャフトを軸にして揺動可能に支持されたレバーと、前記レバーの揺動運動を直線往復運動に変換してスライド動作するアクチュエータと、前記アクチュエータのスライド動作によって前記固定接点パターンの接続回路を切り替える切替スイッチを備えたことを特徴とするものである。
【０００８】
また、本発明に係るダイヤルスイッチにおいて、前記レバーの揺動運動を直線往復運動に変換する機構は、前記ボタンの回転角度に応じて、前記アクチュエータに設けられた突起が前記レバーの回転中心を基点にして所定角度毎に形成された複数個の孔のうちのいずれかに嵌まり、かつ、前記ベースに設けられたピンが前記アクチュエータに形成された長孔に嵌まることにより、前記アクチュエータが前記長孔に沿って移動するように規制された構造を採用することができる。
【０００９】
また、本発明に係るダイヤルスイッチにおいて、前記ボタンの回転時に前記アクチュエータに押し下げられたシーソーの傾きによりリングが上昇して係合片が係合溝に嵌まることによって前記レバーの動きが規制され、かつ、前記ボタンの停止時にばね力で前記リングに押し下げられたシーソーの傾きにより前記アクチュエータが上昇して前記係合片が前記係合溝から外れることによって前記レバーの規制が解除されるロック機構が設けられていても良い。
【発明の効果】
【００１０】
本発明に係るダイヤルスイッチによれば、ボタンを回転させることにより複数のモードの接続を切り替えることでき、またレバーを動かすことにより各モードの信号の出力を切り替えることができるため、コンパクトな設計により設置面積の省スペース化やスイッチ全体のコストダウンを図ることができるという効果がある。
【図面の簡単な説明】
【００１１】
【図１】第１実施形態のダイヤルスイッチの外観を示す図であり、（ａ）は背面図、（ｂ）は平面図、（ｃ）は右側面図、（ｄ）は正面図である。
【図２】第１実施形態のダイヤルスイッチの内部構造を示す斜視図である。
【図３】第１実施形態のダイヤルスイッチを部品ごとに分解した組立図である。
【図４】第１実施形態のダイヤルスイッチを構成するベースを示す図であり、（ａ）は平面図、（ｂ）はｂ−ｂ断面図、（ｃ）は固定接点の拡大図である。
【図５】第１実施形態のダイヤルスイッチを構成するボタンを示す図であり、（ａ）は平面図、（ｂ）はｂ−ｂ断面図、（ｃ）は底面図である。
【図６】第１実施形態のダイヤルスイッチを構成するレバーを示す図であり、（ａ）は平面図、（ｂ）は右側面図、（ｃ）は底面図である。
【図７】第１実施形態のダイヤルスイッチを構成するアクチュエータを示す図であり、（ａ）は平面図、（ｂ）は右側面図、（ｃ）は底面図、（ｄ）はｄ−ｄ断面図である。
【図８】第１実施形態のダイヤルスイッチを構成する切替スイッチを示す図であり、（ａ）は平面図、（ｂ）は正面図、（ｃ）は回路図である。
【図９】第１実施形態のダイヤルスイッチのボタン回転角度が０°のときの動作説明図であり、（ａ）は初期状態、（ｂ）は左動作状態、（ｃ）は右動作状態を示す。
【図１０】第１実施形態のダイヤルスイッチのボタン回転角度が４５°のときの動作説明図であり、（ａ）は初期状態、（ｂ）は左動作状態、（ｃ）は右動作状態を示す。
【図１１】第１実施形態のダイヤルスイッチのボタン回転角度が９０°のときの動作説明図であり、（ａ）は初期状態、（ｂ）は左動作状態、（ｃ）は右動作状態を示す。
【図１２】第２実施形態のダイヤルスイッチの外観を示す図であり、（ａ）は平面図、（ｂ）はｂ−ｂ断面図、（ｃ）は正面図である。
【図１３】第２実施形態のダイヤルスイッチの内部構造を示す斜視図である。
【図１４】第２実施形態のダイヤルスイッチを部品ごとに分解した組立図である。
【図１５】第２実施形態のダイヤルスイッチを構成するベースを示す図であり、（ａ）は平面図、（ｂ）はｂ−ｂ断面図、（ｃ）はｃ−ｃ断面図、（ｄ）はｄ−ｄ断面図である。
【図１６】第２実施形態のダイヤルスイッチを構成するボタンを示す図であり、（ａ）は平面図、（ｂ）はｂ−ｂ断面図、（ｃ）は底面図である。
【図１７】第２実施形態のダイヤルスイッチを構成するレバーを示す図であり、（ａ）は平面図、（ｂ）は右側面図、（ｃ）は底面図である。
【図１８】第２実施形態のダイヤルスイッチを構成するアクチュエータを示す図であり、（ａ）は左側面図、（ｂ）は平面図、（ｃ）は底面図である。
【図１９】第２実施形態のダイヤルスイッチを構成するシーソーを示す図であり、（ａ）は左側面図、（ｂ）は平面図、（ｃ）は右側面図である。
【図２０】第２実施形態のダイヤルスイッチを構成するリングを示す図であり、（ａ）は左側面図、（ｂ）は平面図、（ｃ）は右側面図である。
【図２１】第２実施形態のダイヤルスイッチのボタン回転角度が０°のときの動作説明図であり、（ａ）は初期状態、（ｂ）は左動作状態、（ｃ）は右動作状態を示す。
【図２２】第２実施形態のダイヤルスイッチのボタン回転角度が４５°のときの動作説明図であり、（ａ）は初期状態、（ｂ）は左動作状態、（ｃ）は右動作状態を示す。
【図２３】第２実施形態のダイヤルスイッチのボタン回転角度が９０°のときの動作説明図であり、（ａ）は初期状態、（ｂ）は左動作状態、（ｃ）は右動作状態を示す。
【発明を実施するための形態】
【００１２】
以下、本発明を実施するための形態について、図面を参照しながら説明する。
【００１３】
＜第１実施形態＞
図１に示すように、第１実施形態のダイヤルスイッチＳＷ１は、例えば自動車等の車両に搭載される電動式スライドシートを操作するスイッチとして適用可能である。このスイッチＳＷ１は、外部の円形のボタン２０を握り、０°の初期位置から矢印Ａで示す反時計回りに４５°と９０°の角度で回転させることができる。これにより、電動式スライドシートのリクライニングモーター、前後スライドモーター、及び上下リフトモーターの出力モードを切り替えることができる。また、外部のレバー３０を指で左右両方向に動かすことができ、これにより前記各モーターを駆動する正転信号と逆転信号を切り替えることができるようになっている。
【００１４】
図２に内部構造を示すように、このダイヤルスイッチＳＷ１は、主にベース１０、ボタン２０、レバー３０、アクチュエータ４０、及び切替スイッチ５０を備えており、これらの部品を図３に示す配置関係で組み立てることによって構成されている。以下、各部品の構造を詳しく説明する。
【００１５】
図４に示すベース１０は、絶縁性を有する樹脂材料により構成されている。円板型に成形されたベース本体１１には、その中心にシャフト６０を挿通させるためのボス部１２が設けられており、その近傍にアクチュエータ４０を取り付けるためのピン１３，１３が設けられている。
【００１６】
また、ベース本体１１の表面には、複数の接続回路を有する固定接点パターン１４が配置されている。この固定接点パターン１４は、図４（ｃ）のように導電性を有する１枚の金属板を所定形状に打ち抜き加工し、ベース本体１１にインサート成形した後、図の点線部分をカット加工することにより構成されている。
【００１７】
図５に示すボタン２０は、絶縁性を有する樹脂材料により構成されている。ボタン２０はベース１０を覆う円形ドーム型に成形されたボタン本体２１を有しており、ボタン本体２１の周縁部の一部がレバー３０の可動範囲に合わせて扇形に切り欠かれている。ボタン本体２１の裏面には中心に円筒部２２が形成されており、図３のようにベース１０のボス部１２を挿通させたシャフト６０の爪６１を円筒部２２の孔２３に嵌めることにより、ボタン２０がシャフト６０を軸にして回転可能に支持される。
【００１８】
また、図５（ｃ）に示すように、ボタン本体２１の裏面には、固定機構として円筒部２２の回転中心を基点にして４５°の角度を隔てた等間隔で３組の凸部（第１の凸部２４，２４と、第２の凸部２５，２５と、第３の凸部２６，２６）が設けられている。なお、ベース本体１１の周縁部には図３に示すスプリングホルダ１５が設けられており、スプリングホルダ１５に収容されたスプリング７０のばね力によって、ボタン本体２１の裏面に常時押し付けられている。
【００１９】
図６に示すレバー３０は、絶縁性を有する樹脂材料により構成されている。レバー３０は三角型に成形された操作部３１を有しており、その基部に円筒部３２が連結されて一体化されている。円筒部３２の外周にはフランジ部３３が設けられており、このフランジ部３３には円筒部３２の回転中心を基点にして４５°の角度を隔てた等間隔で３個の孔３４，３５，３６が形成されている。
【００２０】
そして図３に示したように、ベース１０のボス部１２を挿通させたシャフト６０がレバー３０の円筒部３２を貫通して前記のとおりボタン本体２１に固定される。また、図３に示すコイルスプリング７１の一方のフック部７２がレバー３０の突起３７に装着され、他方のフック部７３がボタン本体２１の裏面の突起２７に装着される。これにより、レバー３０はボタン２０の回転に連動して移動するとともに、シャフト６０を軸にして揺動可能に支持され、かつ、コイルスプリング７１のばね力によって元の位置に弾性復帰するように構成されている。
【００２１】
図７に示すアクチュエータ４０は、絶縁性を有する樹脂材料により構成されている。Ｌ字型に成形されたアクチュエータ本体４１の裏面にはスプリングホルダ４２が設けられており、スプリングホルダ４２に収容されたスプリング７４のばね力によって、ベース１０の上に常時押し付けられている。アクチュエータ本体４１の表面には突起４３が設けられており、この突起４３がボタン２０の回転角度に応じて前記フランジ部３３の３個の孔３４，３５，３６のうちのいずれか１個に嵌まるようになっている。
【００２２】
また、アクチュエータ本体４１の両端には、ボタン２０の凸部２４，２５，２６に嵌合する凹部４４，４５が形成されている。さらに、アクチュエータ本体４１には横向きの長孔４６が２個並んで形成されており、この長孔４６，４６にベース１０のピン１３，１３が嵌まり、アクチュエータ本体４１が長孔４６に沿って横方向にしか移動できないように規制される。このように、アクチュエータ４０は、レバー３０の揺動運動を直線往復運動に変換する機構によって、長孔４６に沿って横方向にスライド動作するように構成されている。
【００２３】
図８に示す切替スイッチ５０は、アクチュエータ４０のスライド動作によって固定接点パターン１４の接続回路を切り替えるスイッチであり、本実施形態ではいわゆるダブルシーソースイッチを採用している。ダブルシーソースイッチとは、ケース５１の内部に２個のシーソースイッチを並べて設置したものであり、左右両側に対称的に設けられた操作体５２，５３をそれぞれ横方向に動かすことで個々に接点を切り替えられるように構成されている（詳しくは特願２０１３−１３４４６５「ダブルシーソースイッチ」を参照）。
【００２４】
すなわち、図２に示したようにアクチュエータ４０の突条部４７が左右両側の操作体５２，５３の隙間に挟まっており、この突条部４７によって右側の操作体５３が図８の矢印Ａ方向に押されるとケース５１内部の右側にあるシーソーが傾き、導通する接続回路がｂ−ｃ回路からｂ−ａ回路に切り替わる。また、突条部４７によって左側の操作体５２が図８の矢印Ｂ方向に押されるとケース５１内部の左側にあるシーソーが傾き、導通する接続回路がｅ−ｆ回路からｅ−ｄ回路に切り替わるようになっている。
【００２５】
以上が第１実施形態のダイヤルスイッチＳＷ１の構成であるが、次にその動作について図９〜１１に基づいて説明する。なお、図９〜１１において、アクチュエータ４０の動きを理解しやすくするため、切替スイッチ５０の図示を省略してある。
【００２６】
図９に示すように、ダイヤルスイッチＳＷ１のボタン２０の回転角度が０°のとき、本実施形態ではリクライニングモーターに接続される。このとき、図９（ａ）のようにボタン２０が初期位置にある場合、アクチュエータ本体４１の突起４３がレバー３０の３個の孔３４，３５，３６のうち左側の孔３４に嵌まり、ベース１０のピン１３がアクチュエータ本体４１の長孔４６の中央に位置している。したがって、アクチュエータ４０の突条部４７が切替スイッチ５０の操作体５２，５３の中央に位置しているため、リクライニングモーターに対して駆動信号は出力されない。
【００２７】
ここで、図９（ｂ）のようにレバー３０を左側に動かすと、操作部３１がシャフト６０を軸にして回転し、これに連動してアクチュエータ４０が長孔４６に沿って左側にスライド動作する。そしてベース１０のピン１３が長孔４６の右端に衝突し、アクチュエータ４０の一方の凹部４４にボタン２０の第１の凸部２４が嵌合してアクチュエータ４０が固定される。このとき、アクチュエータ４０の突条部４７が切替スイッチ５０の左側の操作体５２を図８の矢印Ｂ方向に押すので、導通する固定接点パターン１４の接続回路がｅ−ｄ回路に切り替わり、リクライニングモーターに対して正転信号が出力される。
【００２８】
これに対し、図９（ｃ）のようにレバー３０を右側に動かすと、操作部３１がシャフト６０を軸にして回転し、これに連動してアクチュエータ４０が長孔４６に沿って右側にスライド動作する。そしてベース１０のピン１３が長孔４６の左端に衝突し、アクチュエータ４０の他方の凹部４５にボタン２０の第１の凸部２４が嵌合してアクチュエータ４０が固定される。このとき、アクチュエータ４０の突条部４７が切替スイッチ５０の右側の操作体５３を図８の矢印Ａ方向に押すので、導通する固定接点パターン１４の接続回路がｂ−ａ回路に切り替わり、リクライニングモーターに対して逆転信号が出力される。
【００２９】
次に、図１０に示すように、ダイヤルスイッチＳＷ１のボタン２０を４５°回転させたとき、本実施形態ではリクライニングモーターから前後スライドモーターに接続が切り替わる。ボタン２０の回転時には、ボタン裏面のクリック片２８がアクチュエータ４０の凹凸部４８を乗り越える際に所定のクリック感が得られるようになっている。このとき、図１０（ａ）のようにボタン２０が初期位置にある場合、アクチュエータ本体４１の突起４３がレバー３０の３個の孔３４，３５，３６のうち中央の孔３５に嵌まり、ベース１０のピン１３がアクチュエータ本体４１の長孔４６の中央に位置している。したがって、アクチュエータ４０の突条部４７が切替スイッチ５０の操作体５２，５３の中央に位置しているため、前後スライドモーターに対して駆動信号は出力されない。
【００３０】
ここで、図１０（ｂ）のようにレバー３０を左側に動かすと、操作部３１がシャフト６０を軸にして回転し、これに連動してアクチュエータ４０が長孔４６に沿って左側にスライド動作する。そしてベース１０のピン１３が長孔４６の右端に衝突し、アクチュエータ４０の一方の凹部４４にボタン２０の第２の凸部２５が嵌合してアクチュエータ４０が固定される。このとき、アクチュエータ４０の突条部４７が切替スイッチ５０の左側の操作体５２を図８の矢印Ｂ方向に押すので、導通する固定接点パターン１４の接続回路がｅ−ｄ回路に切り替わり、前後スライドモーターに対して正転信号が出力される。
【００３１】
これに対し、図１０（ｃ）のようにレバー３０を右側に動かすと、操作部３１がシャフト６０を軸にして回転し、これに連動してアクチュエータ４０が長孔４６に沿って右側にスライド動作する。そしてベース１０のピン１３が長孔４６の左端に衝突し、アクチュエータ４０の他方の凹部４５にボタン２０の第２の凸部２５が嵌合してアクチュエータ４０が固定される。このとき、アクチュエータ４０の突条部４７が切替スイッチ５０の右側の操作体５３を図８の矢印Ａ方向に押すので、導通する固定接点パターン１４の接続回路がｂ−ａ回路に切り替わり、前後スライドモーターに対して逆転信号が出力される。
【００３２】
更に、図１１に示すように、ダイヤルスイッチＳＷ１のボタン２０を９０°回転させたとき、本実施形態では前後スライドモーターから上下リフトモーターに接続が切り替わる。このとき、図１１（ａ）のようにボタン２０が初期位置にある場合、アクチュエータ本体４１の突起４３がレバー３０の３個の孔３４，３５，３６のうち右側の孔３６に嵌まり、ベース１０のピン１３がアクチュエータ本体４１の長孔４６の中央に位置している。したがって、アクチュエータ４０の突条部４７が切替スイッチ５０の操作体５２，５３の中央に位置しているため、上下リフトモーターに対して駆動信号は出力されない。
【００３３】
ここで、図１１（ｂ）のようにレバー３０を左側に動かすと、操作部３１がシャフト６０を軸にして回転し、これに連動してアクチュエータ４０が長孔４６に沿って左側にスライド動作する。そしてベース１０のピン１３が長孔４６の右端に衝突し、アクチュエータ４０の一方の凹部４４にボタン２０の第３の凸部２６が嵌合してアクチュエータ４０が固定される。このとき、アクチュエータ４０の突条部４７が切替スイッチ５０の左側の操作体５２を図８の矢印Ｂ方向に押すので、導通する固定接点パターン１４の接続回路がｅ−ｄ回路に切り替わり、上下リフトモーターに対して正転信号が出力される。
【００３４】
これに対し、図１１（ｃ）のようにレバー３０を右側に動かすと、操作部３１がシャフト６０を軸にして回転し、これに連動してアクチュエータ４０が長孔４６に沿って右側にスライド動作する。そしてベース１０のピン１３が長孔４６の左端に衝突し、アクチュエータ４０の他方の凹部４５にボタン２０の第３の凸部２６が嵌合してアクチュエータ４０が固定される。このとき、アクチュエータ４０の突条部４７が切替スイッチ５０の右側の操作体５３を図８の矢印Ａ方向に押すので、導通する固定接点パターン１４の接続回路がｂ−ａ回路に切り替わり、上下リフトモーターに対して逆転信号が出力される。
【００３５】
以上説明したように、本実施形態のダイヤルスイッチＳＷ１によれば、ボタン２０を回転させることにより、電動式スライドシートのリクライニングモーター、前後スライドモーター、及び上下リフトモーターのいずれかのモーターに接続を切り替えることができる。また、レバー３０を左右いずれかの方向に動かすことにより、接続された各モーターを駆動する正転信号と逆転信号の出力を切り替えることができる。
【００３６】
＜第２実施形態＞
図１２に示すように、第２実施形態のダイヤルスイッチＳＷ２は、第１実施形態と同様に電動式スライドシートを操作するスイッチであるが、誤操作を防ぐためのロック機構を設けたことが特徴である。すなわち、このスイッチＳＷ２は、ボタン２０の回転時にはレバー３０の動きが規制され、逆にボタン２０の停止時にはレバー３０の規制が解除される構造になっている。
【００３７】
図１３に内部構造を示すように、第２実施形態のダイヤルスイッチＳＷ２は、ベース１０、ボタン２０、レバー３０、アクチュエータ４０、切替スイッチ５０に加え、シーソー８０、及びリング９０を備えており、これらの部品を図１４に示す配置関係で組み立てることによって構成されている。以下、第１実施形態と同一の構成については同一の符号を付して説明を省略し、第１実施形態と異なる構成について詳しく説明する。
【００３８】
図１５に示すベース１０は、円板型のベース本体１１にボス部１２、ピン１３、固定接点パターン１４、スプリングホルダ１５の他に、シーソー８０を支持するシーソーホルダ１６が設けられている。シーソーホルダ１６は、アクチュエータ４０の設置位置に対応した２箇所に設けられており、シーソー８０を揺動可能に支持するための一対の支点軸１７，１７を有している。
【００３９】
図１６に示すボタン２０は、円形ドーム型のボタン本体２１に円筒部２２、孔２３、凸部２４，２５，２６、突起２７、クリック片２８の他に、リング９０を固定する係合片２９が設けられている。係合片２９は、図１４に示すように円筒部２２の外側面に垂直方向に沿って延びている。
【００４０】
図１７に示すレバー３０は、三角型の操作部３１に円筒部３２が連結され、フランジ部３３、孔３４，３５，３６、突起３７の他に、係合溝３８が設けられている。係合溝３８は、係合片２９に係合するように、円筒部３２の内側面に垂直方向に沿って形成されている。また、操作部３１の裏面に隆起部３９が設けられており、図１２（ｂ）に示すようにベース１０との摩擦抵抗を少なくしてレバー３０をスムーズに動かすように機能する。
【００４１】
図１８に示すアクチュエータ４０は、強度を向上させるためにＬ字型のアクチュエータ本体４１の幅を太くする一方、本実施形態ではスプリングホルダ４２を設けていない。また、突起４３、凹部４４，４５、長孔４６、突条部４７の他に、凹凸部４８が２箇所に分けて設けられている。
【００４２】
図１９に示すシーソー８０は、シーソーホルダ１６に揺動可能に支持されるシーソー本体８１に、支点軸１７に嵌合する軸孔８２と、アクチュエータ４０を押し上げる押圧ピン８３と、リング９０を押し上げる押圧板８４が設けられている。
【００４３】
図２０に示すリング９０は、ベース１０のボス部１２に嵌合する円筒部９１と、円筒部９１の下端に延設されたフランジ部９２とからなる。円筒部９１には、ボタン２０の係合片２９に係合する係合溝９３が垂直方向に沿って形成されている。
【００４４】
そして、図１４に示したように、シーソーホルダ１６の支点軸１７をシーソー８０の軸孔８２に嵌合することにより、シーソー８０が揺動可能に支持される。また、円環状のスプリング９４が嵌められたリング９０をボス部１２に装着し、その上からアクチュエータ４０とレバー３０を順に設置し、最後にボタン２０を被せて装着する。これにより、リング９０はスプリング９４のばね力によって垂直下向きに常時付勢される。
【００４５】
本実施形態のダイヤルスイッチＳＷ２によれば、ボタン２０を回転させるとき、ボタン２０によってアクチュエータ４０が押し下げられ、アクチュエータ４０が押圧ピン８３を押圧してシーソー８０を傾ける。このとき、シーソー本体８１の反対側にある押圧板８４が持ち上がり、リング９０のフランジ部９２をスプリング９４のばね力に抗して押し上げる。これにより、リング９０が上昇して係合溝３８と係合溝９３に係合片２９が嵌まり、ボタン２０とレバー３０がロックされる。したがって、ボタン２０を回転させている最中にはレバー３０を動かすことができず、レバー３０はボタン２０と一緒に回転するようになっている。
【００４６】
これに対し、図２１（ａ）に示す０°の初期位置、図２２（ａ）に示す４５°の初期位置、図２３（ａ）に示す９０°の初期位置においては、スプリング９４のばね力によってリング９０のフランジ部９２が押し下げられる。これにより、押圧板８４が沈んでシーソー本体８１が傾き、反対側にある押圧ピン８３が持ち上がる。このため、シーソー８０に押されたアクチュエータ４０が上昇し、ボタン２０の係合片２９が係合溝３８と係合溝９３から外れ、ボタン２０とレバー３０のロックが解除される。したがって、ボタン２０の回転を停止した状態のときにレバー３０を左右に動かすことができるようになる。
【００４７】
以上説明したように、本実施形態のダイヤルスイッチＳＷ２によれば、前述したロック機構によって誤操作を防ぐことができるという利点がある。
【符号の説明】
【００４８】
ＳＷ１：第１実施形態のダイヤルスイッチ
ＳＷ２：第２実施形態のダイヤルスイッチ
１０：ベース
１１：ベース本体
１２：ボス部
１３：ピン
１４：固定接点パターン
１５：スプリングホルダ
１６：シーソーホルダ
１７：支点軸
２０：ボタン
２１：ボタン本体
２２：円筒部
２３：孔
２４：第１の凸部
２５：第２の凸部
２６：第３の凸部
２７：突起
２８：クリック片
２９：係合片
３０：レバー
３１：操作部
３２：円筒部
３３：フランジ部
３４：孔
３５：孔
３６：孔
３７：突起
３８：係合溝
３９：隆起部
４０：アクチュエータ
４１：アクチュエータ本体
４２：スプリングホルダ
４３：突起
４４：凹部
４５：凹部
４６：長孔
４７：突条部
４８：凹凸部
５０：切替スイッチ
５１：ケース
５２：操作体
５３：操作体
６０：シャフト
６１：爪
７０：スプリング
７１：コイルスプリング
７２：フック部
７３：フック部
７４：スプリング
８０：シーソー
８１：シーソー本体
８２：軸孔
８３：押圧ピン
８４：押圧板
９０：リング
９１：円筒部
９２：フランジ部
９３：係合溝
９４：スプリング
【図１】
2016066565.tif 000003
【図２】
2016066565.tif 000004
【図３】
2016066565.tif 000005
【図４】
2016066565.tif 000006
【図５】
2016066565.tif 000007
【図６】
2016066565.tif 000008
【図７】
2016066565.tif 000009
【図８】
2016066565.tif 000010
【図９】
2016066565.tif 000011
【図１０】
2016066565.tif 000012
【図１１】
2016066565.tif 000013
【図１２】
2016066565.tif 000014
【図１３】
2016066565.tif 000015
【図１４】
2016066565.tif 000016
【図１５】
2016066565.tif 000017
【図１６】
2016066565.tif 000018
【図１７】
2016066565.tif 000019
【図１８】
2016066565.tif 000020
【図１９】
2016066565.tif 000021
【図２０】
2016066565.tif 000022
【図２１】
2016066565.tif 000023
【図２２】
2016066565.tif 000024
【図２３】
2016066565.tif 000025